(57)【要約】【課題】  収納及び形態に便利で、使用時には大きく広げて注意を引くことができる表示器の提供。【解決手段】  軸方向に沿って細長い開口部２１１を形成した筒体２１と、筒体２１に連結され、開口部２１１を通して筒体２１内に収納或いは引き出し可能である表示幕２２とを備え、表示幕２２は、本体２２１を反射材、蓄光材或いは発光材により形成し、その表面に本体２２１と異なる色の反射材、蓄光材或いは発光材で指標２２２を設ける。【選択図】          図２ａ
0003102225.tif 000002
【実用新案登録請求の範囲】
【請求項１】
軸方向に沿って細長い開口部を形成した筒体と、該筒体に連結されると共に、前記開口部を通して前記筒体内に収納或いは引き出し可能である表示幕とを備え、該表示幕は、本体を反射材、蓄光材或いは発光材により形成し、その表面に本体と異なる色の反射材、蓄光材或いは発光材で指標を設けて成る表示器。
【請求項２】
前記筒体を自動車の車体に取付可能とした請求項１に記載の表示器。
【請求項３】
前記筒体を後部トランク蓋に取付可能とした請求項２に記載の表示器。
【請求項４】
前記表示幕は、前記筒体から引き出して開いた状態で、自動車の車体に係止可能である請求項２又は３に記載の表示器。
【請求項５】
前記表示幕を前記筒体から引き出して開いた状態で保持する支持部材が、前記筒体に装着された請求項１乃至４のいずれかに記載の表示器。
【請求項６】
前記支持部材に、前記表示幕と係合してこれを開いた状態に保持するフック部を設けた請求項５に記載の表示器。
【請求項７】
前記表示幕に前記フック部と係合する係止孔を設けた請求項６に記載の表示器。
【請求項８】
前記表示幕の一端を前記筒体に連結し、他端を前記支持部材に係合可能な請求項５乃至７のいずれかに記載の表示器。
【請求項９】
前記指標が、図案或いは文字である請求項１乃至８のいずれかに記載の表示器。
【請求項１０】
前記表示幕を巻き取り又は折り畳むことにより前記筒体内に収納可能な請求項１乃至９のいずれかに記載の表示器。
【考案の詳細な説明】
【技術分野】
【０００１】
本考案は、自動車が路上停止中に他車の注意を喚起するのに用いる停止表示装置として好適な表示器に関する。
【背景技術】
【０００２】
近年、商工業の発達に伴って自動車の数が劇的に増加し、路上駐車中の自動車が追突されるのを防ぐために、交通法規により駐車中の表示を行うことが義務づけられている。
従来の反射式表示板は、自ら発光せず、通過する車のヘッドライトの照射を受けて発する反射光によって、運転手の目に留まるようになっている。従って、カーブや坂道、凹凸路面、風雪や雨、濃霧など視界が悪い場合には、表示板が目に留まりにくい。そのような場合、人が懐中電灯を手に持って、通過する車に支持したり、注意を促す必要があるが、この行為自体が非常に危険で、かえって交通事故を引き起こす虞がある。
さらに、路上に置く表示板では注意を引きにくく、遠くから確認することができないため、運転手に前もって状況を察知させ、交通事故を確実に防ぐことができなかった。
【０００３】
そこで、図１に示すような停止表示板１が提案されている。この停止表示板１は、複数の三角形の発光管１１，１２，１３と、電源装置２とから成り、電源装置２を発光管１１，１２，１３に接続してこれら発光管１１，１２，１３を発光させることにより、警告機能と救助を求める機能を発揮する。
しかし、このような停止表示板では、使用者が常時電源装置の充電状態に注意を払っていなければならず、ややもすると必要時に電力不足のため使用することができないことになる。また、小さく折り畳むことができないので、収納に不便であり、自動車内部の広い空間を占領して邪魔に成りやすい。
【考案の開示】
【考案が解決しようとする課題】
【０００４】
本考案の目的は、収納及び形態に便利で、使用時には大きく広げて注意を引くことができる表示器を提供することにある。
【課題を解決するための手段】
【０００５】
本考案の表示器は、軸方向に沿って細長い開口部を形成した筒体と、該筒体に連結されると共に、前記開口部を通して前記筒体内に収納或いは引き出し可能である表示幕とを備え、該表示幕は、本体を反射材、蓄光材或いは発光材により形成し、その表面に本体と異なる色の反射材、蓄光材或いは発光材で指標を設けて成る。
【０００６】
本考案は、以下の各構成を採用することができる。
前記筒体を自動車の車体に取付可能とした構成。
前記筒体を後部トランク蓋に取付可能とした構成。
前記表示幕は、前記筒体から引き出して開いた状態で、自動車の車体に係止可能とした構成。
前記表示幕を前記筒体から引き出して開いた状態で保持する支持部材が、前記筒体に装着された構成。
【０００７】
前記支持部材に、前記表示幕と係合してこれを開いた状態に保持するフック部を設けた構成。
前記表示幕に前記フック部と係合する係止孔を設けた構成。
前記表示幕の一端を前記筒体に連結し、他端を前記支持部材に係合可能とした構成。
前記指標を、図案或いは文字とした構成。
前記表示幕を巻き取り又は折り畳むことにより前記筒体内に収納可能とした構成。
【考案の効果】
【０００８】
本考案によれば、不要時は表示幕を筒体内に収納できるので、嵩張らず携帯に便利である一方、使用時は大きく広げて注意を喚起することができ、さらに、表示幕の本体と指標とが、電源を必要とせずにそれぞれ異なる色で光を発するので、色の対比によって非常に目立つと共に、電力不足によって使用不能となる心配が無く、しかも、構造が簡単で製造コストが低廉で済む。
【考案を実施するための最良の形態】
【０００９】
以下、本考案の実施例を図面に基づいて詳細に説明する。
【実施例１】
【００１０】
図２ａ、図２ｂ、図２ｃは、本考案の実施例１を示す。
本考案の表示器は、筒体２１と、表示幕２２とを備える。
筒体２１の周面には、軸方向に沿って細長い開口部２１１を形成してある。また、筒体２１の外面において、開口部２１１と逆側の両端部には、図２ｂ及び図２ｃに示すように、筒体２１を路面等に載置できるように、それぞれ台座２４を装着しても良い。
【００１１】
表示幕２２の本体２２１は、可撓性を有すると共に、少なくとも表面が反射する反射材により形成し、本体２２１の表面には、図２ａに示すように、本体２２１と異なる色の反射材、蓄光材、或いは発光材で指標２２２を印刷してある。本実施例では、指標２２２を一般的な停止指標である赤い三角形の図案としてあるが、他の図案或いは文字とすることもできる。
また、表示幕２２は、その一端が筒体２１の内部に連結され、巻き取り又は折り畳むことにより開口部２１１を通して筒体２１内に収納したり、或いは、開口部２１１を通して筒体２１から引き出すことができるようになっている。
さらに、表示幕２２の他端には、係止孔２２３を形成する金具が装着されている。
【００１２】
表示幕２２の裏面側において、筒体２１の外面には、図２ｂ及び図２ａに示すように、支持部材２３を装着する。
支持部材２３は、中間部で折り畳み可能な棒材より成り、その一端が筒体２１に軸着される。また、支持部材２３の他端には、表示幕２２の係止孔２２３と係合可能なフック部２３１を設けてある。
そして、表示幕２２を筒体２１の開口部２１１から引き出して広げ、支持部材２３を伸ばして起立させ、支持部材２３のフック部２３１を表示幕２２の係止孔２２３に係止すると、表示幕２２を広げた状態で保持することができる。
【実施例２】
【００１３】
図３は、本考案の実施例２を示す。
表示器は、開口部３１１を形成した筒体３１と、開口部３１１を通して筒体３１内に収納或いは取りだし可能である表示幕３２とを備える。表示幕３２は、本体３２１を反射材により形成し、その表面に本体３２１と異なる色の反射材、蓄光材、或いは発光材で指標３２２を設けてある。
上記各部の構成は実施例１とほぼ同様であるが、筒体３１の両端部には、自動車の車体３４に取付可能な吸盤３１２を装着する。また、表示幕３２の係止孔３２３は、表示幕３２を筒体３１から引き出して広げた状態で、車体３４に係合することができる。
なお、吸盤３１２による吸着に代えて、引掛け具や嵌合具による係止或いは粘着によって筒体３１を車体３４に取り付けることもできる。
【実施例３】
【００１４】
図４は、本考案の実施例３を示す。
筒体３１は吸盤、引掛け具等の適宜手段によって後部トランク蓋３５の裏面に取り付けることができる。
使用時には、後部トランク蓋３５を開けて、筒体３１から表示幕３２を引き出して広げ、表示幕３２の係止孔３２３をトランク開口縁の溝に係止し、表示幕３２を広げた状態で保持する。
その他の構成は実施例２とほぼ同様である。
【００１５】
なお、上記実施例１〜３において、表示幕の形状は、図示のような均一幅とせず、様々な形状とすることができる。
また、表示幕の本体を反射材で形成すると共に、指標を蓄光材或いは発光材で形成したり、或いは、本体を蓄光材又は発光材で形成して、指標を反射材で形成することもできる。
さらに、本考案の表示器は、自動車の停止表示だけではなく、他の交通標識や説明表示、広告等の多種の表示を行うのに用いることが可能である。
【図面の簡単な説明】
【００１６】
【図１】従来の停止表示板の斜視図。
【図２ａ】実施例１を示す表示器の表示幕取りだし状態における表面斜視図。
【図２ｂ】実施例１を示す表示器の表示幕取りだし状態における裏面斜視図。
【図２ｃ】実施例１を示す表示器の表示幕収納状態における斜視図。
【図３】実施例２を示す表示器の使用状態における表面図。
【図４】実施例３を示す表示器の使用状態における側面図。
【符号の説明】
【００１７】
２１，３１  筒体
２１１，３１１  開口部
３１２  吸盤
２２，３２  表示幕
２２１，３２１  本体
２２２，３２２  指標
２２３，３２３  係止孔
２３  支持部材
２３１  フック部
２４  台座
３４  車体
３５  後部トランク蓋
【図１】
0003102225.tif 000003
【図２ａ】
0003102225.tif 000004
【図２ｂ】
0003102225.tif 000005
【図２ｃ】
0003102225.tif 000006
【図３】
0003102225.tif 000007
【図４】
0003102225.tif 000008